(57)【要約】【課題】  蛇腹を畳んだときの蛇腹のひだの重なりを、再現性良く整然としたものにする。【解決手段】  矩形筒状の蛇腹構造３０は、四周が蛇腹状になっていることにより上下に伸縮可能であり、これら四周の表裏の生地７１の間にシート状の芯７２〜７５を有している。芯７２〜７５は、四周の各々の蛇腹のひだ毎に配置され、かつその位置が拘束され、長底辺と両斜辺との角度が約４５度をなす台形状である。芯７２〜７５は、蛇腹の同じ段の四周の間で、長底辺と短底辺の上下の向きが揃っており、一段ごとに長底辺と短底辺の上下の向きが入れ替わっている。芯７２〜７５の周囲は縫い糸７６により、表裏の生地７１が縫い合わされている。【選択図】  図５
2013000204.tif 000002
【特許請求の範囲】
【請求項１】
バッグであって、胴体部分に矩形筒状の蛇腹構造を備え、
当該蛇腹構造は、四周が蛇腹状になっていることにより上下に伸縮可能であり、前記四周の表裏の生地の間にシート状の芯を有しており、
当該シート状の芯は、四周の各々の蛇腹のひだ毎に配置され、かつその位置が拘束され、長底辺と両斜辺との角度が約４５度をなす台形状であり、
当該台形シート状の芯は、蛇腹の同じ段の四周の間で長底辺と短底辺の上下の向きが揃っており、一段ごとに長底辺と短底辺の上下の向きが入れ替わっているバッグ。
【請求項２】
前記台形状の芯の各々は、長底辺と両斜辺との間の角（かど）に丸みを有している、請求項１に記載のバッグ。
【請求項３】
前記台形シート状の芯は、最下段のひだにおいて長底辺が下側にあり、最上段のひだにおいて長底辺が上側にある、請求項１又は２に記載のバッグ。
【請求項４】
前記台形シート状の芯の斜辺の周囲に沿って、表裏の生地が互いに固着されている、請求項１ないし３の何れかに記載のバッグ。
【請求項５】
前記台形シート状の芯の４つの斜辺により囲まれた生地の領域の中心を通り左右に横断する線に沿って、表裏の生地が互いに固着されている、請求項１ないし４の何れかに記載のバッグ。
【請求項６】
前記台形シート状の芯の４つの斜辺により囲まれた生地の領域の中心を通り上下に縦断する線に沿って、表裏の生地が互いに固着されている、請求項１ないし５の何れかに記載のバッグ。
【請求項７】
前記台形シート状の芯の互いに向き合う底辺の間隙に沿って、表裏の生地が互いに固着されている、請求項１ないし６の何れかに記載のバッグ。
【請求項８】
前記表裏の生地の前記固着は、縫い合わされることによってなされている、請求項４ないし７の何れかに記載のバッグ。
【請求項９】
前記表裏の生地の前記固着は、接着剤により接着されることによってなされている、請求項４ないし７の何れかに記載のバッグ。
【請求項１０】
前記蛇腹構造の上部ないし、それよりも上側の部分を、キャリーバッグ用支柱に上下にスライド可能に支持する支持部材を、さらに備える請求項１ないし９の何れかに記載のバッグ。
【請求項１１】
前記バッグは、箱状の下部バッグ体をさらに備え、
前記蛇腹構造は、前記下部バッグ体の上に連結して形成されており、
前記バッグは、前記蛇腹構造の上に連結して形成された蓋体であって、開閉可能に前記蛇腹構造の開口部を覆う蓋体をさらに備える、請求項１ないし１０の何れかに記載のバッグ。
【請求項１２】
前記下部バッグ体は、底面、正面、背面、両側面の表裏の生地の間にシート状の第２の芯を有する、請求項１１に記載のバッグ。
【請求項１３】
前記蓋体は、少なくとも天面の表裏の生地の間にシート状の第３の芯を有する、請求項１１又は１２に記載のバッグ。
【請求項１４】
矩形筒状の蛇腹構造であって、
当該蛇腹構造は、四周が蛇腹状になっていることにより上下に伸縮可能であり、前記四周の表裏の生地の間にシート状の芯を有しており、
当該シート状の芯は、四周の各々の蛇腹のひだ毎に配置され、かつその位置が拘束され、長底辺と両斜辺との角度が約４５度をなす台形状であり、
当該台形シート状の芯は、蛇腹の同じ段の四周の間で長底辺と短底辺の上下の向きが揃っており、一段ごとに長底辺と短底辺の上下の向きが入れ替わっている蛇腹構造。
【請求項１５】
前記台形状の芯の各々は、長底辺と両斜辺との間の角（かど）に丸みを有している、請求項１４に記載の蛇腹構造。
【請求項１６】
前記台形シート状の芯は、最下段のひだにおいて長底辺が下側にあり、最上段のひだにおいて長底辺が上側にある、請求項１４又は１５に記載の蛇腹構造。
【請求項１７】
前記台形シート状の芯の斜辺の周囲に沿って、表裏の生地が互いに固着されている、請求項１４ないし１６の何れかに記載の蛇腹構造。
【請求項１８】
前記台形シート状の芯の４つの斜辺により囲まれた生地の領域の中心を通り左右に横断する線に沿って、表裏の生地が互いに固着されている、請求項１４ないし１７の何れかに記載の蛇腹構造。
【請求項１９】
前記台形シート状の芯の４つの斜辺により囲まれた生地の領域の中心を通り上下に縦断する線に沿って、表裏の生地が互いに固着されている、請求項１４ないし１８の何れかに記載の蛇腹構造。
【請求項２０】
前記台形シート状の芯の互いに向き合う底辺の間隙に沿って、表裏の生地が互いに固着されている、請求項１４ないし１９の何れかに記載の蛇腹構造。
【請求項２１】
前記表裏の生地の前記固着は、縫い合わされることによってなされている、請求項１７ないし２０の何れかに記載の蛇腹構造。
【請求項２２】
前記表裏の生地の前記固着は、接着剤により接着されることによってなされている、請求項１７ないし２０の何れかに記載の蛇腹構造。
【発明の詳細な説明】
【技術分野】
【０００１】
本発明は、蛇腹構造を有するバッグ、及び当該バッグへの利用に適した蛇腹構造に関する。
【背景技術】
【０００２】
従来、蛇腹構造を有するバッグとして、同一出願人による出願に係る特許文献１に開示されるものが知られている。当該バッグは、下部バッグ体の上に連結した蛇腹状の上部バッグ体を有しており、それにより、収容量に応じてバッグの高さを調整可能としている。
【０００３】
しかし、このバッグは、蛇腹状の上部バッグ体が収縮したときに、蛇腹のひだの重なりが整然としたものにならず、かつ一定の形状を再現性良く実現することが困難である、という問題点があった。すなわち、ファッション性が重要となる物品であるにも拘わらず、見た目に雑然とした印象を与え、いわゆる「おしゃれ感」を欠く、という問題点があった。
【先行技術文献】
【特許文献】
【０００４】
【特許文献１】実用新案登録第３１６２９１９号公報
【発明の概要】
【発明が解決しようとする課題】
【０００５】
本発明は上記の問題点に鑑みてなされたもので、蛇腹を畳んだときの蛇腹のひだの重なりを、再現性良く整然としたものにするバッグ、及び当該バッグへの利用に好適な蛇腹構造を提供することを目的とする。
【課題を解決するための手段】
【０００６】
上記課題を解決し上記目的を達成するために、本発明のうち第１の態様に係るものは、バッグであって、胴体部分に矩形筒状の蛇腹構造を備えている。当該蛇腹構造は、四周が蛇腹状になっていることにより上下に伸縮可能であり、前記四周の表裏の生地の間にシート状の芯を有している。当該シート状の芯は、四周の各々の蛇腹のひだ毎に配置され、かつその位置が拘束され、長底辺と両斜辺との角度が約４５度をなす台形状である。さらに、当該台形シート状の芯は、蛇腹の同じ段の四周の間で長底辺と短底辺の上下の向きが揃っており、一段ごとに長底辺と短底辺の上下の向きが入れ替わっている。
【０００７】
この構成によれば、ひだ毎にシート状の芯が配置され、かつその位置が拘束されているため、当該芯によって各ひだに一定の剛性が付与される。それにより、各ひだの形状が維持される。シート状の芯は台形状であり、蛇腹の同じ段の四周の間で長底辺と短底辺の上下の向きが揃っており、一段ごとに長底辺と短底辺の上下の向きが入れ替わっているので、上下のひだの境界のうち、芯の短底辺同士が向き合う境界が内方に後退することにより、蛇腹の収縮が実現する。台形シート状の芯の長底辺と両斜辺との角度が約４５度であるため、蛇腹を畳んだときに、ひだのうち台形シート状の芯にかたどられた剛性を有する部分が、同一段に隣接するひだの剛性を有する部分と互いに重なり合うことなく畳まれる。芯が台形状であるために、ひだの両側端、すなわち蛇腹の四周の角（かど）部には、芯のない生地の部分が残る。当該芯のない生地の部分は、台形シート状の芯の短底辺同士が向き合う上下二段の間で、一続きの領域として形成され、芯のあるひだの部分に対して外方へ折れ曲がる。当該芯のない生地の領域は、蛇腹が収縮するときには、横に屈曲するとともに、当該領域内の隣り合う左右の生地が互いに接近する。台形シート状の芯の長底辺と両斜辺との角度が約４５度であるため、蛇腹が折り畳まれるときには、上記領域内の隣り合う左右の生地が互いにほぼ重なり合うことにより、上記領域が、横に屈曲した状態で上下のひだの間に折り畳まれる。このように、蛇腹を伸縮させるときの蛇腹の形状が再現性の良いものとなり、かつ、ひだの重なりが整然とした状態で蛇腹を折り畳むことが可能となる。なお、「約４５度」という数値の幅は、上記の作用ないし効果を実質的に奏する範囲で許容される。
【０００８】
本発明のうち第２の態様に係るものは、第１の態様に係るバッグであって、前記台形状の芯の各々は、長底辺と両斜辺との間の角（かど）に丸みを有しているものである。
この構成によれば、台形状の芯の鋭角の角（かど）による生地の損傷が回避される。
【０００９】
本発明のうち第３の態様に係るものは、第１又は第２の態様に係るバッグであって、  前記台形シート状の芯は、最下段のひだにおいて長底辺が下側にあり、最上段のひだにおいて長底辺が上側にあるものである。
【００１０】
この構成によれば、全てのひだに属する芯のない生地の部分が、台形シート状の芯の短底辺同士が向き合う何れかの上下二段に跨る領域に属する。このため、蛇腹を折り畳んだときに、全てのひだに属する芯のない生地の部分が、横に屈曲した状態で上下のひだの間に折り畳まれる。すなわち、蛇腹の全体にわたって、ひだの重なりが整然とした状態で蛇腹を折り畳むことができる。
【００１１】
本発明のうち第４の態様に係るものは、第１ないし第３の何れかの態様に係るバッグであって、前記台形シート状の芯の斜辺の周囲に沿って、表裏の生地が互いに固着されているものである。
【００１２】
この構成によれば、芯の有る生地の部分と芯の無い生地の部分との境界に形成される折り目、すなわち台形シート状の芯の斜辺の周囲に沿って形成される折り目において、表裏の生地が互いに離れることがないので、乱れのない折り目が形成される。
【００１３】
本発明のうち第５の態様に係るものは、第１ないし第４の何れかの態様に係るバッグであって、前記台形シート状の芯の４つの斜辺により囲まれた生地の領域の中心を通り左右に横断する線に沿って、表裏の生地が互いに固着されているものである。
この構成によれば、芯のない生地の領域が屈曲する左右方向の折り目において、表裏の生地が互いに離れることがないので、乱れのない折り目が形成される。
【００１４】
本発明のうち第６の態様に係るものは、第１ないし第５の何れかの態様に係るバッグであって、前記台形シート状の芯の４つの斜辺により囲まれた生地の領域の中心を通り上下に縦断する線に沿って、表裏の生地が互いに固着されているものである。
この構成によれば、芯のない生地の領域が屈曲する上下方向の折り目において、表裏の生地が互いに離れることがないので、乱れのない折り目が形成される。
【００１５】
本発明のうち第７の態様に係るものは、第１ないし第６の何れかの態様に係るバッグであって、前記台形シート状の芯の互いに向き合う底辺の間隙に沿って、表裏の生地が互いに固着されているものである。
【００１６】
この構成によれば、上下のひだの境界に沿って形成される折り目において、表裏の生地が互いに離れることがないので、乱れのない折り目が形成される。
【００１７】
本発明のうち第８の態様に係るものは、第４ないし第７の何れかの態様に係るバッグであって、前記表裏の生地の前記固着は、縫い合わされることによってなされているものである。
【００１８】
この構成によれば、固着部位に沿った生地の折り目がシャープに付きやすく、見た目にきれいである。
【００１９】
本発明のうち第９の態様に係るものは、第４ないし第７の何れかの態様に係るバッグであって、前記表裏の生地の前記固着は、接着剤により接着されることによってなされているものである。
【００２０】
この構成によれば、生地を固着するのに縫製の手間を省くことができるので、製作が容易である。
【００２１】
本発明のうち第１０の態様に係るものは、第１ないし第９の何れかの態様に係るバッグであって、前記蛇腹構造の上部ないし、それよりも上側の部分を、キャリーバッグ用支柱に上下にスライド可能に支持する支持部材を、さらに備えるものである。
【００２２】
この構成によれば、バッグの上部がキャリーバッグ用支柱に支持された状態を維持しつつ、蛇腹構造を伸縮させることができるので、バッグをキャリーバッグとして使用することができる。
【００２３】
本発明のうち第１１の態様に係るものは、第１ないし第１０の何れかの態様に係るバッグであって、箱状の下部バッグ体をさらに備えている。そして、前記蛇腹構造は、前記下部バッグ体の上に連結して形成されている。さらに、前記バッグは、前記蛇腹構造の上に連結して形成された蓋体であって、開閉可能に前記蛇腹構造の開口部を覆う蓋体をさらに備えている。
【００２４】
この構成によれば、下部バッグ体により、蛇腹を畳んだときにも、ある程度の容量が確保される。さらに、開閉可能な蓋体によって、バッグの収容物を保護することができる。
【００２５】
本発明のうち第１２の態様に係るものは、第１１の態様に係るバッグであって、前記下部バッグ体は、底面、正面、背面、両側面の表裏の生地の間にシート状の第２の芯を有するものである。
【００２６】
この構成によれば、下部バッグ体に柔軟な生地を適用しつつも、第２の芯により、一定の剛性が付与される。それにより下部バッグ体が、あたかもハードケースのように、一定の形状を保持する。
【００２７】
本発明のうち第１３の態様に係るものは、第１１又は第１２の態様に係るバッグであって、前記蓋体は、少なくとも天面の表裏の生地の間にシート状の第３の芯を有するものである。
【００２８】
この構成によれば、蓋体に柔軟な生地を適用しつつも、第３の芯により蓋体の天面に一定の剛性が付与される。それにより蓋体の天面が一定の形状を保持する。
【００２９】
本発明のうち第１４の態様に係るものは、矩形筒状の蛇腹構造であって、当該蛇腹構造は、四周が蛇腹状になっていることにより上下に伸縮可能であり、前記四周の表裏の生地の間にシート状の芯を有している。当該シート状の芯は、四周の各々の蛇腹のひだ毎に配置され、かつその位置が拘束され、長底辺と両斜辺との角度が約４５度をなす台形状である。そして、当該台形シート状の芯は、蛇腹の同じ段の四周の間で長底辺と短底辺の上下の向きが揃っており、一段ごとに長底辺と短底辺の上下の向きが入れ替わっている。
【００３０】
この構成によれば、本発明の第１の態様に係るバッグについて述べたところと同様の作用及び効果を奏する。
【００３１】
本発明のうち第１５の態様に係るものは、第１４の態様に係る蛇腹構造であって、前記台形状の芯の各々は、長底辺と両斜辺との間の角（かど）に丸みを有しているものである。
【００３２】
この構成によれば、本発明の第２の態様に係るバッグについて述べたところと同様の作用及び効果を奏する。
【００３３】
本発明のうち第１６の態様に係るものは、第１４又は第１５の態様に係る蛇腹構造であって、前記台形シート状の芯は、最下段のひだにおいて長底辺が下側にあり、最上段のひだにおいて長底辺が上側にあるものである。
【００３４】
この構成によれば、本発明の第３の態様に係るバッグについて述べたところと同様の作用及び効果を奏する。
【００３５】
本発明のうち第１７の態様に係るものは、第１４ないし第１６の何れかの態様に係る蛇腹構造であって、前記台形シート状の芯の斜辺の周囲に沿って、表裏の生地が互いに固着されているものである。
【００３６】
この構成によれば、本発明の第４の態様に係るバッグについて述べたところと同様の作用及び効果を奏する。
【００３７】
本発明のうち第１８の態様に係るものは、第１４ないし第１７の何れかの態様に係る蛇腹構造であって、前記台形シート状の芯の４つの斜辺により囲まれた生地の領域の中心を通り左右に横断する線に沿って、表裏の生地が互いに固着されているものである。
この構成によれば、本発明の第５の態様に係るバッグについて述べたところと同様の作用及び効果を奏する。
【００３８】
本発明のうち第１９の態様に係るものは、第１４ないし第１８の何れかの態様に係る蛇腹構造であって、前記台形シート状の芯の４つの斜辺により囲まれた生地の領域の中心を通り上下に縦断する線に沿って、表裏の生地が互いに固着されているものである。
この構成によれば、本発明の第６の態様に係るバッグについて述べたところと同様の作用及び効果を奏する。
【００３９】
本発明のうち第２０の態様に係るものは、第１４ないし第１９の何れかの態様に係る蛇腹構造であって、前記台形シート状の芯の互いに向き合う底辺の間隙に沿って、表裏の生地が互いに固着されているものである。
この構成によれば、本発明の第７の態様に係るバッグについて述べたところと同様の作用及び効果を奏する。
【００４０】
本発明のうち第２１の態様に係るものは、第１７ないし第２０の何れかの態様に係る蛇腹構造であって、前記表裏の生地の前記固着は、縫い合わされることによってなされているものである。
この構成によれば、本発明の第８の態様に係るバッグについて述べたところと同様の作用及び効果を奏する。
【００４１】
本発明のうち第２２の態様に係るものは、第１７ないし第２０の何れかの態様に係る蛇腹構造であって、前記表裏の生地の前記固着は、接着剤により接着されることによってなされているものである。
【００４２】
この構成によれば、本発明の第９の態様に係るバッグについて述べたところと同様の作用及び効果を奏する。
【発明の効果】
【００４３】
以上のように本発明によれば、蛇腹を畳んだときの蛇腹のひだの重なりを、再現性良く整然としたものにするバッグ、及び当該バッグへの利用に好適な蛇腹構造が実現する。
【図面の簡単な説明】
【００４４】
【図１】本発明の一実施の形態によるバッグに関し、キャリーバッグ用台車に載せた使用形態を示す正面斜視図である。
【図２】図１に示すバッグの使用形態に関し、特に蛇腹構造を延ばした形態を示す正面斜視図である。
【図３】図１に示すバッグを示す背面斜視図である。
【図４】図１のバッグの各部の構造を示す図であり、（ａ）は下部バッグ体の展開図、（ｂ）は蓋体の展開図、及び（ｃ）は蓋体と蛇腹構造との連結部及びファスナーを正面斜め上から視た図である。
【図５】図１のバッグの蛇腹構造を展開して示す展開図である。
【図６】図１のバッグの蛇腹構造の伸縮に伴う形状の変化を示す斜視図であり、（ａ）は蛇腹構造を延ばした状態、（ｂ）は蛇腹構造をある程度収縮させた状態、及び（ｄ）は蛇腹構造を折り畳んだ状態を、それぞれ示す。
【発明を実施するための形態】
【００４５】
図１及び図２は、本発明の一実施の形態によるバッグの外観斜視図である。これらの図は、特に当該バッグをキャリーバッグ用の台車に載せた使用形態を示している。特に図１は、バッグの蛇腹構造を収縮させた形態を示しており、図２は伸張させた形態を示している。このバッグ１０１は、下部バッグ体１０、蛇腹構造２０、蓋体３０，及びファスナー４０を有している。下部バッグ体１０は、矩形箱状であり、バッグ体１０１の底面及び当該底面に連なる４側面を形成している。蛇腹構造２０は、矩形筒状を成しており、下部バッグ体１０の上に連結して形成されることにより、上部バッグ体を構成している。蛇腹構造２０は、四周が蛇腹状になっており、それにより上下に伸縮可能である。蓋体３０は、蛇腹構造２０の上に連結して形成され、開閉可能に蛇腹構造２０の上部開口部を覆うものである。ファスナー４０は、蓋体３０を閉状態に維持する部材である。
【００４６】
下部バッグ体１０及び蓋体３０は、例えば布、ビニールシート、防水処理された布などの柔軟な材料で構成しても良く、ある程度の剛性を有する皮革、プラスチック板などにより構成しても良い。布、ビニールシートなどの柔軟な材料で構成される場合であっても、一定の形状を保つように、それらの材料を内外二重にして、紙、プラスチックシートなど、ある程度の剛性を有する材料からなる芯材を、それらの間に挟めるようにしても良い。本実施の形態によるバッグ１０１では、一例として、プラスチックシートを挟み込んだ二重の布が用いられる。蛇腹構造２０は、後に詳述するように、紙、プラスチックシートなど、ある程度の剛性を有する材料からなる芯材を挟み込んだ二重の布、ビニールシートなどの柔軟な材料により構成されている。
【００４７】
バッグ１０１は、一例としてキャリーバッグ用であり、台車１５０と共に使用に供される。台車１５０は、バッグ１０１等を載せる台８０、その底面に取り付けられた例えば４個のキャスタ８５、及び台８０の背部に立設された例えば２本の支柱９０、及び支柱９０の頭部に固定されたハンドル９５を有している。支柱９０は伸縮可能である。かかるキャリーバッグ用の台車１５０の構造は、従来周知であるので、その詳細な説明は略する。
【００４８】
図３は、バッグ１０１の背面斜視図である。バッグ１０１の背面には、バッグ１０１を支柱９０に支持する支持部材６０が設けられている。図３の例では、支持部材６０は、下部バッグ体１０の下部及び上部、並びに蛇腹構造２０の上部ないし蓋体３０の３箇所に設けられている。支持部材６０は、例えば一対の帯体６１と一対の締結部材６２とを有している。各帯体６１の一端は、バッグ１０１の背面の左右の端部付近に縫製等により固定され、他端は一対の締結部材６２の一つに連結されている。一対の締結部材６２は、指操作で簡単に着脱可能である。図３に例示する締結部材６２は、市販されている周知のものである。一対の帯体６１を２本の支柱９０の背面に導き、締結部材６２により締結することにより、バッグ１０１が支柱９０に支持される。特に、最上部の締結部材６２は、蛇腹構造２０を伸張させたときに、蛇腹構造２０が支柱９０から離れて傾倒することを防止する。最上部の支持部材６０は、緩めに締結することにより、蛇腹構造２０の伸縮動作、及び支柱９０の伸縮動作を妨げることを回避できる。
【００４９】
支持部材６０は、蛇腹構造２０の上下方向中央付近など、別の部位にも設けることが可能である。蛇腹構造２０が大きく伸びるものである場合には、蛇腹構造２０の上部だけでなく他の部位にも、支持部材６０を設けるのが望ましい。また、下部バッグ体１０の底面と台８０の上面とを、面ファスナー等で着脱可能に固定しても良い。
【００５０】
図４は、バッグ１０１の各部の構造を示す図であり、（ａ）は下部バッグ体１０の展開図、（ｂ）は蓋体３０の展開図、及び（ｃ）は蓋体３０と蛇腹構造２０との連結部４５及びファスナー４０を正面斜め上から視た図である。図４（ａ）に示すように、下部バッグ体１０は、Ｌ字状の生地１８及び矩形シート状の芯１１〜１５を有している。生地１８は、例えば布、ビニールなど、しなやかなシート状のものである。生地１８は、表裏二重となっており、芯１１〜１５は表裏の生地１８の間に配置されている。図４（ａ）では本来、芯１１〜１５は一方の生地１８に隠れて見えないところ、その形状及び位置関係を示すために、実線で表している。芯１１〜１５は、それぞれ、下部バッグ体１０の底面、背面、右側面、正面、左側面に配置された芯である。芯１１〜１５は、例えばプラスチックシートなどにより形成されることにより、下部バッグ体１０の各面にある程度の剛性を付与する。芯１１〜１５の周囲及び互いの間隙に沿って、表裏の生地１８が縫い糸１７により縫い合わされている。図４（ａ）は下部バッグ体１０を製造する一工程を示す工程図にも相当する。底面と右側面、底面と正面、底面と左側面、左側面と背面の間で、縫い代（しろ）部分を縫い合わせることにより、下部バッグ体１０ができあがる。これらの縫い代部分については、図４（ａ）に示すように表裏の生地１８を縫い糸１７により、あらかじめ縫い合わせておくことを、必ずしも要しない。
【００５１】
図４（ｂ）に示すように、蓋体３０は、矩形の生地３１及び矩形シート状の芯３５を有している。生地３１は、例えば下部バッグ体１０の生地１８と材料が同一である。生地３１は、表裏二重となっており、芯３５は表裏の生地３１の間に配置されている。図４（ｂ）においても、芯３５は一方の生地３１に隠れて見えないところを、実線で表している。芯２５は、例えば芯１１〜１５と材料が同一である。芯３５の周囲に沿って、表裏の生地３１が縫い糸３３により縫い合わされている。
【００５２】
図４（ｃ）に示す連結部４５は、蛇腹構造２０の背部上端と蓋体３０の背部とに縫い付けられて、蛇腹構造２０と蓋体３０とを連結する部材である。連結部４５においても、矩形の表裏の生地３６の間に、矩形シート状の芯３７が配置されている。生地３６は、例えば下部バッグ体１０の生地１８と材料が同一である。図４（ｃ）においても、芯３７は一方の生地３６に隠れて見えないところを、実線で表している。芯３７は、例えば芯１１〜１５と材料が同一である。芯３７の周囲に沿って、表裏の生地３６が縫い糸３８により縫い合わされている。生地３６の左右の端部には、ファスナー４０が連結されている。生地３６とファスナー４０とは、表裏の生地３６を縫い合わせる縫い糸３８により同時に縫い合わされても良く、別の縫い糸によって縫い合わされても良い。連結部４５の上端部には蓋体３０の背部が連結され、下端部は蛇腹構造２０の上端部が連結される。連結部４５と蓋体３０、及び連結部４５と蛇腹構造２０も、表裏の生地３６を縫い合わせる縫い糸３８により同時に縫い合わされても良く、別の縫い糸によって縫い合わされても良い。
【００５３】
図５は、バッグ１０１の蛇腹構造２０の構造を示す展開図である。蛇腹構造２０は、矩形の生地７１及び台形シート状の芯７２〜７５を有している。生地７１は、例えば下部バッグ体１０の生地１８と材料が同一である。生地７１は、表裏二重となっており、芯７２〜７５は表裏の生地７１の間に配置されている。図５においても、芯７２〜７５は一方の生地７１に隠れて見えないところを、実線で表している。芯７２〜７５は、それぞれ、蛇腹構造２０の左側面、背面、右側面、及び正面に配置された芯である。芯７２〜７５は、例えば芯１１〜１５と材料が同一であり、蛇腹構造２０の四周の各々の各段のひだに、ある程度の剛性を付与する。台形状の芯７２〜７５の各々は、長底辺と両斜辺との角度が約４５度をなし、当該角度をなす長底辺と両斜辺との間の角（かど）に丸みを有している。この鋭角部の丸みによって、当該鋭角部による生地７１の損傷を防ぐことができる。台形状の芯７２〜７５は、蛇腹構造２０の同一段の四周の間で、長底辺と短底辺の上下の向きが揃っており、一段ごとに長底辺と短底辺の上下の向きが入れ替わっている。芯７２〜７５は更に、最下段のひだにおいて長底辺が下側にあり、最上段のひだにおいて長底辺が上側にある。すなわち、蛇腹構造２０は、芯７２〜７５の長底辺が下側にある下段のひだと、長底辺が上側にある上段のひだとから成る一対のひだが、複数段（図５の例では５段）に積み重ねられた構造をなしている。
【００５４】
表裏の生地７１は、最上段のひだに配置された芯７２〜７５の上向きの長底辺、及び最下段のひだに配置された芯７２〜７５の下向きの長底辺に沿って縫い合わされており、更に、上下に隣接する芯７２〜７５の互いに向き合う底辺同士の間隙に沿って縫い合わされている。表裏の生地７１は更に、芯７２〜７５の無い菱形領域７７を形成する芯の４つの斜辺に沿って、縫い合わされている。さらに加えて、菱形領域７７の中心を通る十字状の線、すなわち左右に横断する線と上下に縦断する線に沿って、表裏の生地７１が縫い合わされている。上下に縦断する線は、四周の間の境界線に相当する。
【００５５】
図５は蛇腹構造２０を製造する一工程を示す工程図にも相当する。左側面の端部（図５の左端部）と正面の端部（図５の右端部）との間で、縫い代（しろ）部分を縫い合わせることにより、蛇腹構造２０ができあがる。また、生地７１の上端部と連結部４５及びファスナー４０の下端部との間で、縫い代部分を縫い合わせることにより、蛇腹構造２０と連結部４５及びファスナー４０とが連結される。更に、生地７１の下端部と下部バッグ体１０の上端部との間で、縫い代部分を縫い合わせることにより、蛇腹構造２０と下部バッグ体１０とが連結される。これらの縫い代の縫い合わせは、表裏の生地７１を縫い合わせる縫い糸７６により同時に縫い合わされても良く、別の縫い糸によって縫い合わされても良い。
【００５６】
図６は、蛇腹構造２０の伸縮に伴う形状の変化を示す斜視図であり、（ａ）は蛇腹構造を延ばした状態、（ｂ）は蛇腹構造をある程度収縮させた状態、及び（ｄ）は蛇腹構造を折り畳んだ状態を、それぞれ示している。図６には、蛇腹構造２０を代表して、上下及び左右に隣接する２段のひだ２１〜２４を表している。これら２段のひだ２１〜２４のうち、左側のひだ２１、２２には、図５に示した芯７２〜７５のうち、例えば芯７３が配置され、右側のひだ２３、２４には、例えば芯７４が配置されている。上下２段のひだ２１、２２は、図５において、芯７３の長底辺が下側にある下段のひだと、長底辺が上側にある上段のひだとから成る一対のひだに該当する。同様に、２段のひだ２３、２４は、図５において、芯７４の長底辺が下側にある下段のひだと、長底辺が上側にある上段のひだとから成る一対のひだに該当する。これらシート状の芯７３、７４によって、ひだ２１〜２４に一定の剛性が付与される。それにより、ひだ２１〜２４の各々の形状が維持される。
【００５７】
上下一対のひだ２１、２２の境界では、芯７３の短底辺同士が向き合っており、同じく上下一対のひだ２３、２４の境界では、芯７４の短底辺同士が向き合っているので、短底辺同士が向き合うこれらの境界が内方に後退することにより、蛇腹構造２０の収縮が実現する。シート７３、７４は台形状であるため、図５に示したように、芯７３、７４の無い菱形領域７７が生地７１に残る。この菱形領域７７は、図６（ａ）及び（ｂ）に示すように、蛇腹構造２０の四周の角（かど）部において、上下一対の段の間で一続きの領域をなし、ひだ２１の端部２５、ひだ２２の端部２６、ひだ２３の端部２７、及びひだ２４の端部２８の４面の三角領域から成る。
【００５８】
蛇腹構造２０が収縮するときには、菱形領域７７は、芯のあるひだ２１〜２４の部分に対して外方へ折れ曲がる。すなわち、端部２５はひだ２１の残余の部分から外方に折れ曲がり、端部２６はひだ２２の残余の部分から外方に折れ曲がる。また、端部２７はひだ２３の残余の部分から外方に折れ曲がり、端部２８はひだ２４の残余の部分から外方に折れ曲がる。そうして、蛇腹構造２０の収縮に伴い、左右に隣り合う端部２５と端部２７とが互いに接近し、同じく左右に隣り合う端部２６と端部２８とが互いに接近する。同時に、図６（ａ）及び（ｂ）において右向きの矢印で示すように、菱形領域７７は、例えば図中の右側に屈曲する。すなわち、上下に隣接する端部２５と端部２６とは、それらの境界が内方に後退するように屈曲し、上下に隣接する端部２７と端部２８とは、それらの境界が外方に前進するように屈曲する。ひだ２１〜２４に配置される台形シート状の芯７３、７４の長底辺と両斜辺との角度が約４５度であるため、図６（ｃ）に示すように蛇腹構造２０が折り畳まれるときには、４面の端部２５〜２８が互いにほぼ重なり合うことにより、菱形領域７７が、右側に屈曲した状態で上下のひだ２３及び２４の間に折り畳まれる。また、台形シート状の芯７３、７４は、それらの長底辺と両斜辺との角度が約４５度であるため、蛇腹構造２０を畳んだときに、ひだ２１の芯７３にかたどられた剛性を有する部分、すなわち端部２５を除く部分と、隣り合うひだ２３の芯７４にかたどられた剛性を有する部分、すなわち端部２７を除く部分とが、互いに重なり合うことを回避できる。このことは、ひだ２２及び２４についても同様である。蛇腹構造２０を伸張させるときには、上記の過程を逆に辿ることとなる。
【００５９】
このように、蛇腹構造２０は、伸縮させるときの形状が再現性の良いものとなり、かつ、ひだ２１〜２４の重なりを整然とした状態で折り畳むことが可能となる。なお、蛇腹構造２０を折り畳むときに各部に形成される折り目については、バッグ１０１の製造過程で、アイロンがけ等により、あらかじめ折り目を付しておくことにより、折り目の位置を初めから定めることが可能である。特に、菱形領域７７の屈曲方向が右側であるか、左側であるか、を定めることも可能となる。
【００６０】
蛇腹構造２０では、折り畳まれるときに折り目が形成される全ての線に沿って、縫い糸７６により表裏の生地７１が縫い合わされている。すなわち、ひだ２１とひだ２２の境界、ひだ２３とひだ２４の境界、菱形領域７７の周囲、当該菱形領域７７を４面の三角領域２５〜２８に分割する十字をなす境界、の何れにも縫い糸７６により、表裏の生地７１が縫い合わされている。それにより、生地７１の中で芯７２〜７５の位置が拘束されるだけでなく、蛇腹構造２０が折り畳まれるときに、縫い糸７６に沿って表裏の生地７１が互いに離れることなく、きちんと折り目が形成される。特に、縫い糸７６により表裏の生地７１が縫い合わされているために、折り目がシャープで見た目にきれいなものとなる。
【００６１】
（その他の実施の形態）
（１）蛇腹構造２０では、上記の通り、折り畳まれるときに形成される折り目に沿って、縫い糸７６により表裏の生地７１が縫い合わされていた。これに対し、縫い糸７６に代えて、接着など他の手段により、表裏の生地７１を互いに固着しても良い。この場合においても、折り目に沿って、表裏の生地７１が互いに離れることないので、乱れのないきちんとした折り目が形成される。特に、接着剤を用いて接着する場合には、表裏の生地７１同士の固着が容易であり、製造工程が簡略化される。また、折り目に沿うだけでなく、芯７２〜７６のない全ての領域にわたって、表裏の生地７１を接着剤等で固着することも可能である。
【００６２】
（２）蛇腹構造２０において、芯７２〜７５の各々について、その全領域ないし一部を、接着剤により表裏の生地７１に固着させる等により、生地７１の中での芯７２〜７５の位置を拘束しても良い。芯７２〜７５に孔を設けて、当該孔に縫い糸を通すことにより、当該孔の部位で芯７２〜７５を表裏の生地７１に固着することも可能である。このように、生地７１の中での芯７２〜７５の位置を拘束する別途の手段を講じる場合には、折り畳まれるときに形成される折り目に沿って、表裏の生地７１を固着しなくても、芯７２〜７５の位置を拘束する上では支障がない。
【００６３】
（３）バッグ１０１では、下部バッグ体１０の上に蛇腹構造２０が連結しており、それによって、蛇腹構造２０が折り畳まれたときにも、ある程度の容積がバッグ１０１の内部に確保された。これに対して、バッグ１０１の胴部がすべて蛇腹構造２０により構成されるように、下部バッグ体１０の代わりに、バッグ１０１の底面を蛇腹構造２０の下端に連結しても良い。また、蛇腹構造２０の上端に矩形筒状の上部バッグ体を連結しても良く、上部バッグ体と下部バッグ体１０との間に蛇腹構造２０を連結しても良い。
【００６４】
（４）バッグ１０１では、下部バッグ体１０及び蓋体３０においても、蛇腹構造２０と同様に、表裏の生地１８、３１の間に芯１１〜１５、３５が配置された。それにより、バッグ１０１全体として、見た目に統一感が得られた。これに対して、下部バッグ体１０及び蓋体３０について、芯１１〜１５、３５を無くして一定の剛性を有する厚手の皮革を用いるなど、他の構成を取ることも可能である。
【００６５】
（５）下部バッグ体１０の矩形の芯１１〜１５、蓋体３０の矩形の芯３５、及び連結部４５の矩形の芯３７についても、各々の四隅に丸みを形成しても良い。それにより、これら四偶による生地１８、３１、３６への損傷を防止することができる。
【００６６】
（６）バッグ１０１では、蓋体３０を開閉可能とするために、ファスナー４０が用いられた。これに対して、蓋体３０を開閉可能とするための手段として、従来周知の様々な手段を利用することも可能である。例えば、蓋体３０の周囲と蛇腹構造２０の上端部とに、対を成すホックを１ないし複数箇所に設けることにより、蓋体３０を開閉可能としても良い。或いは、蓋体３０に帯体を取り付け、当該帯体の端部にはボタン挿入用のスリットを設け、蛇腹構造２０の上端部にボタンを設けることにより、ボタン留めにより蓋体３０を開閉可能としても良い。
【００６７】
（７）上記実施の形態では、蛇腹構造２０は、バッグ１０１の胴部を構成する部品として例示した。しかしながら、蛇腹構造２０は、バッグだけでなく、様々な用途に利用可能である。例えば、蛇腹構造２０の生地７１として光透過性のビニールシートを用い、芯７２〜７５として光透過性のプラスチックシートを用いることにより、蛇腹構造２０を提灯の胴部として利用することも可能となる。
【００６８】
（８）上記実施の形態では、蛇腹構造２０の連結する下部バッグ体１０の上部開口部は、水平に開口していた。これに対して、当該上部開口部が幾分か前傾するように、下部バッグ体１０を形成しても良い。かかる形態も本発明の範囲内である。かかる形態により、蛇腹構造２０を折り畳んだときに、蓋体３０に覆われる蛇腹構造２０の上部開口部も同じく前傾するので、バッグ１０１への収容物の投入及び取り出しが容易となる。下部バッグ体１０の上部開口部が前傾していても、前傾の角度が過度でなければ、蛇腹構造２０を垂直に伸張させるのに支障はない。適度な前傾の角度は、例えば５度〜１５度程度である。
【符号の説明】
【００６９】
１０  下部バッグ体
２０  蛇腹構造
３０  蓋体
４０  ファスナー
６０  支持部材
７１  生地
７２〜７５  芯
７６  縫い糸  
９０  支柱
１０１  バッグ
１５０  台車
【図１】
2013000204.tif 000003
【図２】
2013000204.tif 000004
【図３】
2013000204.tif 000005
【図４】
2013000204.tif 000006
【図５】
2013000204.tif 000007
【図６】
2013000204.tif 000008
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
バッグであって、胴体部分に矩形筒状の蛇腹構造を備え、
当該蛇腹構造は、四周が蛇腹状になっていることにより上下に伸縮可能であり、前記四周の表裏の生地の間にシート状の芯を有しており、
当該シート状の芯は、四周の各々の蛇腹のひだ毎に配置され、かつその位置が拘束され、長底辺と両斜辺との角度が約４５度をなす台形状であり、
当該台形シート状の芯は、蛇腹の同じ段の四周の間で長底辺と短底辺の上下の向きが揃っており、一段ごとに長底辺と短底辺の上下の向きが入れ替わっており、
前記台形シート状の芯は、最下段のひだにおいて長底辺が下側にあり、最上段のひだにおいて長底辺が上側にあり、
前記台形シート状の芯の斜辺の周囲と、前記台形シート状の芯の４つの斜辺により囲まれた生地の領域の中心を通り上下及び左右に横断する線と、前記台形シート状の芯の互いに向き合う底辺の間隙と、に沿って、表裏の生地が互いに縫い合わされているバッグ。
【請求項２】
前記台形状の芯の各々は、長底辺と両斜辺との間の角（かど）に丸みを有している、請求項１に記載のバッグ。
【請求項３】
前記蛇腹構造の上部ないし、それよりも上側の部分を、キャリーバッグ用支柱に上下にスライド可能に支持する支持部材を、さらに備える請求項１又は２に記載のバッグ。
【請求項４】
前記バッグは、箱状の下部バッグ体をさらに備え、
前記蛇腹構造は、前記下部バッグ体の上に連結して形成されており、
前記バッグは、前記蛇腹構造の上に連結して形成された蓋体であって、開閉可能に前記蛇腹構造の開口部を覆う蓋体をさらに備える、請求項１ないし３の何れかに記載のバッグ。
【請求項５】
前記下部バッグ体は、底面、正面、背面、両側面の表裏の生地の間にシート状の第２の芯を有する、請求項４に記載のバッグ。
【請求項６】
前記蓋体は、少なくとも天面の表裏の生地の間にシート状の第３の芯を有する、請求項４又は５に記載のバッグ。
【請求項７】
矩形筒状の蛇腹構造であって、
当該蛇腹構造は、四周が蛇腹状になっていることにより上下に伸縮可能であり、前記四周の表裏の生地の間にシート状の芯を有しており、
当該シート状の芯は、四周の各々の蛇腹のひだ毎に配置され、かつその位置が拘束され、長底辺と両斜辺との角度が約４５度をなす台形状であり、
当該台形シート状の芯は、蛇腹の同じ段の四周の間で長底辺と短底辺の上下の向きが揃っており、一段ごとに長底辺と短底辺の上下の向きが入れ替わっており、
前記台形シート状の芯は、最下段のひだにおいて長底辺が下側にあり、最上段のひだにおいて長底辺が上側にあり、
前記台形シート状の芯の斜辺の周囲と、前記台形シート状の芯の４つの斜辺により囲まれた生地の領域の中心を通り上下及び左右に横断する線と、前記台形シート状の芯の互いに向き合う底辺の間隙と、に沿って、表裏の生地が互いに縫い合わされている蛇腹構造。
【請求項８】
前記台形状の芯の各々は、長底辺と両斜辺との間の角（かど）に丸みを有している、請求項７に記載の蛇腹構造。